(57)【要約】【課題】ピッキングや施錠部材の切断又は破壊等の危険性がなく、ドアのノブが強く引張られることによる破壊を未然に防止することのできる防犯機能付き電磁石錠を提供する。【解決手段】電磁石１の電磁力による吸着力でプレート２が吸着されて施錠される電磁石錠であって、前記電磁石１を保持した電磁石本体３は、表面に電磁石１の面を僅かに凸設させて埋設した厚板短冊状の形状に形成され、該電磁石本体の裏面両端部にブロック６が弾性質座金４を介在させて螺子７により螺子着されると共に、該ブロックに係合溝６ａを設けて、該係合溝に係合するキー５ａを内側に凸設したケース５内に、電磁石本体３の表面を露出させて係合収納されてなり、吸着された前記プレート２の引張りにより前記弾性質座金４を縮ませて前記電磁石本体３を僅かに移動させ、該僅かな移動を検出スイッチ９で検出して警報を発するように構成された防犯機能付き電磁石錠である。【選択図】図１
0003130690.tif 000002
【実用新案登録請求の範囲】
【請求項１】
建物のドア開口壁部に取付けられる電磁石とドアに取付けられるプレートを有し、前記電磁石の電磁力による吸着力で前記プレートが吸着されて施錠するようにした電磁石錠であって、前記電磁石を保持した電磁石本体が、弾性質座金を介在させて取付けられ、吸着された前記プレートの引張りにより前記弾性質座金を縮ませて電磁石本体を僅かに移動させ、該僅かな移動を検出スイッチで検出して警報を発するように構成されてなることを特徴とする防犯機能付き電磁石錠。
【請求項２】
電磁石を保持した電磁石本体が、表面に電磁石面を僅かに凸設させて埋設した厚板短冊状の形状に形成され、該電磁石本体の裏面両端部に弾性質座金を介在させてブロックを螺子着すると共に該ブロックに係合溝を設けて、該係合溝に係合するキーを凸設したコ字状のケース内に、電磁石本体の表面を露出させて係合収納されてなることを特徴とする請求項１記載の防犯機能付き電磁石錠。
【請求項３】
電磁石本体と、該電磁石本体の裏面に螺子着されたブロックが、弾性質座金の縮み圧が加圧された状態で離間するように螺子着されてなることを特徴とする請求項２記載の防犯機能付き電磁石錠。
【請求項４】
弾性質座金が、弾性質の板材で皿状に形成された座金を複数重ね合わせて形成されてなることを特徴とする請求項１〜請求項３のいずれか１項記載の防犯機能付き電磁石錠。
【考案の詳細な説明】
【技術分野】
【０００１】
本考案は、ドアの錠（錠前）が不正開錠されたりする危険性がなく、且つドアやノブが破壊されたりするのを未然に防止することのできる防犯機能付き電磁石錠に関するものである。
【背景技術】
【０００２】
従来、錠（錠前）は、鍵穴に鍵を差し込んでタンブラーを作動させ、回すことによりデッドボルト等の施錠部材を進退させて施開錠するメカ的な錠前が一般的であり、近年は鍵の代わりに電波や磁気、暗証番号、指紋等によりモーターやソレノイド等のアクチュエーターを作動させてデッドボルト等の施錠部材を進退させることにより施開錠する電気的な錠前も普及している。此等従来の錠（錠前）は、鍵穴からピッキングされたり、デッドボルト等の施錠部材が切断又は破壊されたりして不正開錠され、損害を被る危険性を有している。
【０００３】
又、鍵穴からのピッキングやデッドボルト等の施錠部材の切断又は破壊による不正開錠を防止するため、鍵穴やデッドボルト等の施錠部材を必要としない通電による強力な電磁力による吸着力で施錠するようにした電磁石錠装置や防犯扉も開示され、公知されている。（例えば、特許文献１，特許文献２参照。）
【０００４】
【特許文献１】特開２００４−２４５０４１号公報
【特許文献２】特開２００３−１８４３７０号公報
【考案の開示】
【考案が解決しようとする課題】
【０００５】
しかしながら、上記特許文献１，特許文献２に記載される従来の電磁石錠装置や防犯扉は、鍵穴やデッドボルト等の施錠部材を必要とせず、ピッキングや施錠部材の切断又は破壊により不正開錠される危険性はないが、ドアのノブ（取手）を強く引張ってドアを開けようと試みる余り、ドアやノブが破壊される問題点を有している。
従って本考案は、ドアの錠（錠前）がピッキングや施錠部材の切断又は破壊により不正開錠されたりする危険性がなく、且つドアのノブが強く引張られて破壊されたりするのを未然に防止することのできる防犯機能付き電磁石錠を提供することを目的とし、該目的を達成することを課題とするものである。
【課題を解決するための手段】
【０００６】
上記目的を達成するために、以下に記載するような手段を講じてなる防犯機能付き電磁石錠とした。すなわち、
（１）建物のドア開口壁部に取付けられる電磁石をドアに取付けられるプレートを有し、前記電磁石の電磁力による吸着力で前記プレートが吸着されてドアを施錠するようにした電磁石錠であって、前記電磁石を保持した電磁石本体が、弾性質座金を介在させて取付けられ、吸着された前記プレートの引張りにより前記弾性質座金を縮ませて電磁石本体を僅かに移動させ、該僅かな移動を検出スイッチで検出して警報を発するように構成されてなることを特徴とする防犯機能付き電磁石錠。
（２）電磁石を保持した電磁石本体が、表面に電磁石面を僅かに凸設させて埋設した厚板短冊状の形状に形成され、該電磁石本体の裏面両端部に弾性質座金を介在させてブロックを螺子着すると共に該ブロックに係合溝を設けて、該係合溝に係合するキーを内側に凸設したコ字状のケース内に、電磁石本体の表面を露出させて係合収納されてなることを特徴とする前項（１）記載の防犯機能付き電磁石錠。
（３）電磁石本体と、該電磁石本体の裏面に螺子着されたブロックが、弾性質座金の縮み圧が加圧された状態で離間するように螺子着されてなることを特徴とする前項（２）記載の防犯機能付き電磁石錠。
（４）弾性質座金が、弾性質の板材で皿状に形成された座金を複数重ね合わせて形成されてなることを特徴とする前項（１）〜（３）のいずれか１項記載の防犯機能付き電磁石錠。
【考案の効果】
【０００７】
上記手段にて記載するように、本考案は建物のドア開口壁部に取付けられる電磁石とドアに取付けられるプレートを有し、前記電磁石の電磁力による吸着力で前記プレートが吸着されてドアを施錠するようにした電磁石錠であるから、鍵穴やデッドボルト等の施錠部材は不要であり、ピッキングや施錠部材の切断又は破壊による不正開錠の危険性はなく、吸着力も６００ｋｇ〜３ｔで吸着されて施錠されるからドアのノブを人力で引張って開錠し得るものではない。
【０００８】
又、前記電磁石を保持した電磁石本体は、弾性質座金を介在させて取付けられ、吸着された前記プレートの引張りにより前記弾性質座金を縮ませて、縮み圧が加圧された状態で電磁石本体を僅かに移動させ、該僅かな移動を検出スイッチで検出して警報を発するように構成されたものであるから、ドアのノブを強く引張って開錠しようと試みる段階で警報が発せられ、ドアやノブが破壊されたりするのを未然に防止するのに効果を奏すると共に、通常のドアの開閉におけるノブの引張りでは警報を発しないようにできる。
【０００９】
更に、構造は複雑でなく、シンプルに構成できるから、スマートにして且つ安価な電磁石錠を得るのに効果を奏する。
【考案を実施するための最良の形態】
【００１０】
本考案を実施するための最良の形態について、以下実施例にて図面を参照して詳細に説明する。
【実施例１】
【００１１】
図１は、本考案の実施例を示す要部断面の斜視図である。図示するように、本考案は、建物のドア開口壁部に取付けられる電磁石１と、ドアに取付けられるプレート２を有し、前記電磁石１の電磁力による吸着力で前記プレート２が吸着されて施錠するようにしてあり、前記電磁石を保持した電磁石本体３が、弾性質座金４を介在させてコ字状のケース５内にキー５ａで係合固着されたブロック６を螺子７により螺子着して取付けられており、吸着された前記プレート２の引張りにより前記弾性質座金４を縮ませて電磁石本体３を僅かに移動させ、該僅かな移動をブロック６に取付けられた検出スイッチ８で検出して警報を発するように構成され、ケース５には警報ランプ９と取付板１０が取付けられている。なお、本実施例では、電磁石１を保持した電磁石本体３が、弾性質座金４を介在させてコ字状のケース５内にキー５ａで係合固着されたブロック６を螺子７により螺子着して取付けられた形態であり、該形態が本考案を実施するための最良の形態であるが、これに限定されるものではない。
【００１２】
前記電磁石１を保持した電磁石本体３は、図２，図３に示すように表面に電磁石１のフラットな面を僅かに凸設させて埋設した厚板短冊状の形状に形成され、弾性質座金４を介在させて電磁石本体３の裏面両端部に、ブロック６，６が螺子７，７により螺子着されて取付けられると共に、該ブロックは電磁石本体３と同一幅にして両側に係合溝６ａ，６ａが形成されており、該係合溝はブロック６とブロック敷板６Ａにより形成されるようにしてあるが、ブロック６とブロック敷板６Ａとを一体にして加工しても良い。
又、ブロック６には、前記検出スイッチ８を取付けるための螺子穴６ｂと配線用の溝６ｃ，６ｃが設けてあり、電磁石本体３には検出スイッチを作動させるための押ボルト１１（図１図示）を螺子着するための螺子穴３ａと、電磁石１に通電するための配線用の溝３ｂが設けてある。
【００１３】
ケース５は、図４に示すように前記電磁石本体３の幅に合わせてコ字状に形成され、内側にキー５ａ，５ａが凸設されており、凸設したキー５ａ，５ａに前記ブロック６，６に設けられた係合溝６ａ，６ａが係合するようにして、前記ケース５内に電磁石本体３の表面を露出させて係合収納されるようにしてあり、片端部に電気制御ボックスからの配線用穴５ｂを穿設すると共に、配線基板１２と警報ランプ９が着脱可能に装着されている。又、ケース５の両端部には図５に示す側板１３を取付けるための皿小螺子１４，１４用の穴５ｃ，５ｃ，・・・と、側板１３を介して取付板１０を取付けるための取付ボルト１５用の穴５ｄ，５ｄ，・・・が穿設されている。
【００１４】
以上のようにしてなるケース５に、前記図２及び図３にて図示した電磁石本体３の裏面両端部に螺子７，７で螺子着して取付けたブロック６，６の係合溝６ａ，６ａを、ケース５の内側に凸設したキー５ａ，５ａに係合させて収納すると図１に示すように電磁石本体３の表面は露出した状態となり、電磁石本体３の表面より僅かに凸設させて埋設した電磁石１への通電によりプレート２が吸着され、施錠された状態となる。
【００１５】
上記のようにして電磁石本体３及びブロック６，６が収納されたケース５は、取付板１０を介して建物のドア開口壁部に取付けられ、プレート２はドアの内側に取付けられて電磁石１への通電によりプレート２は吸着されて施錠された状態となる。本施錠では鍵穴
やデッドボルト等の施錠部材を要しないから、ピッキングや施錠部材の切断又は破壊による不正開錠は行なわれず、例えば暗証番号等を不正に入力してドアのノブ等を強く引張って不正開錠しようとする。
【００１６】
ドアのノブを外から強く引張って不正開錠しようとすると、図６に示すようにドアの内側に取付けられたプレート２が矢印方向に引張られ、同時に該プレートと電磁石１により吸着されて施錠された状態の電磁石本体３も引張られて移動すると共に、電磁石本体３に螺子着された螺子７により弾性質座金４は縮められて電磁石本体３とブロック６とに僅かな離間隙間Ｓが生ずる。電磁石本体３は弾性質座金４の縮み圧が加圧された状態で縮むから、通常のドアの開閉では離間隙間Ｓは生じない。従って検出スイッチ８（図１図示）は作動せず、警報も発しない。前記弾性質座金４は、弾性質の板材で皿状に形成された座金を複数重ね合わせて形成されたものを使用するのが好ましいが、市販された平座金で合成ゴム等の弾性質材をサンドイッチ状に挟んで形成されたもの、或いは市販されたスプリングワッシャ等を使用しても良い。
【００１７】
前記離間隙間Ｓにより図１に示す電磁石本体３に螺子着された押ボルト１１がブロック６に取付けられた検出スイッチ８の作動レバーがノーマルオープンの状態となり、該ノーマルオープンの状態で警報が発せられるようにしてある。警報は最初強力な警報音が約３０秒間鳴ると同時に警報ランプ９が赤色で点滅し、その後警報ランプ９は赤色と緑色の交互の点滅に切替わり、リセットして警報ランプ９が緑色の点燈に切替わるまで続行するようにして、不正開錠しようとしたことがわかるようにしてあるが、これに限定されるものではない。
【００１８】
図７は以上のようにしてなる本考案を建物のドア開口部に取付けた取付例を示す。電磁石本体３及びブロック６が収納されたケース５は、取付板１０を介してドア開口壁部に取付けられ、プレート２は蝶番１６により開閉自在に取付けられたドア１７の内側に取付けられている。取付けは建物のドア開口壁部の形態により変えられる。又、電磁石１や警報ランプ９へは電源プラグ１８より制御ボックス１９を介して配線コードによりケース５内の配線基板１２（図４図示）へ導き、該配線基板１２から配線で導かれているがこれに限定されるものではない。
【００１９】
前記電源プラグ１８は、室内の電源コンセントに差し込まれて常時電気が供給されている状態にし、停電時には補助バッテリ等に自動的に切り替わるような対策も講じられ、ドアのノブ（取手）２０を不正開錠しようとして強く引張ることにより前記警報ランプ９の点滅と警報音が発せられるようにしてある。施開錠及びリセットは、リモコン等による遠隔操作、暗証番号、カード、指紋等による。
【図面の簡単な説明】
【００２０】
【図１】本考案の実施例を示す要部断面の斜視図である。
【図２】電磁石本体の裏面にブロックを螺子着した斜視図である。
【図３】図２のＡ−Ａ断面図である。
【図４】ケースの斜視図である。
【図５】両端側部の要部断面図である。
【図６】電磁石の電磁力で吸着して強く引張った状態の断面図である。
【図７】本考案の取付例を示す図面である。
【符号の説明】
【００２１】
１  電磁石
２  プレート
３  電磁石本体
３ａ，６ｂ  螺子穴
４  弾性質座金
５  ケース
５ａ  キー
５ｂ  配線用穴
５ｃ，５ｄ  穴
６  ブロック
６Ａ  ブロック敷板
６ａ  係合溝
３ｂ，６ｃ  溝
７  螺子
８  検出スイッチ
９  警報ランプ
１０  取付板
１１  押ボルト
１２  配線基板
１３  側板
１４  皿小螺子
１５  取付ボルト
１６  蝶番
１７  ドア
１８  電源プラグ
１９  制御ボックス
２０  ノブ（取手）
【図１】
0003130690.tif 000003
【図２】
0003130690.tif 000004
【図３】
0003130690.tif 000005
【図４】
0003130690.tif 000006
【図５】
0003130690.tif 000007
【図６】
0003130690.tif 000008
【図７】
0003130690.tif 000009